(57)【要約】  丸薬を粉末に粉砕するための回転駆動機構を有する機械的粉砕装置において使用する使い捨ての入子式カップである。各カップは底側のカップに上側のカップの回転力が加えられた時に２つのカップの間に挿入された丸薬をより有効に砕いて押しつぶすために設けられる撚られた底部を有している。各カップの撚られた底部は回転対称の三次元波形形状を有し、各波形はカップの外側円筒壁から各カップの底部の中心に向かう曲線に沿って弧を描く。各波形の峰部及び谷部はそれぞれ研削刃として動作し、全体の対称波形デザインは底側のカップの中心に一つ以上の丸薬及びその結果として生じる粉末を維持するように動作する。【選択図】図５
2017530754.tif 000002
【特許請求の範囲】
【請求項１】
開放された円形状の頂部と、
撚られた底部と、
前記円形状の頂部から前記撚られた底部に向かって内側に傾斜している湾曲壁と、を備え、
前記撚られた底部はそれぞれが該底部の外縁から該底部の中心に向かう曲線に沿って弧を描く複数の三次元波形を有し、
前記撚られた底部は該撚られた底部と更なるそのような底部に圧縮力が加えられた時に該撚られた底部と該更なる底部との間に置かれた丸薬を押しつぶすために十分な剛性を有していることを特徴とするカップ。
【請求項２】
前記撚られた底部の各波形は、前記底部の外縁に沿って最も広く、前記底部の中心で一点に狭くなる請求項１に記載のカップ。
【請求項３】
各波形は研削刃を形成する弧を描いた峰部を有し、前記峰部は前記湾曲壁が前記撚られた底部の外縁に一致する高い地点から前記底部の中心の低い地点に向かって螺旋状の経路で湾曲している請求項２に記載のカップ。
【請求項４】
各波形は前記底部の下面に研削刃を形成する谷部を有し、前記谷部は前記湾曲壁が前記底部の外縁に一致する低い地点から前記底部の中心に向かって螺旋状の経路で湾曲している請求項３に記載のカップ。
【請求項５】
前記開放された円形状の頂部から外側に縁部が突出し、前記縁部は、突出する縁角部を形成する、それぞれの２つの側部が一致する複数の対称の側部を有し、前記波形の峰部は前記底部が前記円筒壁に一致する峰部の最も外側の地点で前記突出する縁角部の一つとそれぞれ位置合わせされている請求項３に記載のカップ。
【請求項６】
前記撚られた底部は回転対称の配置で少なくとも６個の三次元波形を備えている請求項１に記載のカップ。
【請求項７】
壁に液量目盛り表示器を備え、該表示器まで満たされた時にカップ内に収容される液量を表示する請求項１に記載のカップ。
【請求項８】
第１カップと第２カップを備え、丸薬粉砕用の交換可能で入子可能なカップ組であって、それぞれのカップは、
開放された円形状の頂部と、
撚られた底部と、
前記円形状の頂部から前記撚られた底部に向かって内側に傾斜している湾曲壁と、を備え、
前記撚られた底部はそれぞれが該底部の外縁から該底部の中心に向かう曲線に沿って弧を描く複数の三次元波形を有し、
前記撚られた底部は該撚られた底部と更なるそのような底部に圧縮力が加えられた時に該撚られた底部と該更なる底部との間に置かれた丸薬を押しつぶすために十分な剛性を有していることを特徴とするカップ組。
【請求項９】
前記圧縮力は、静止時に前記第２カップを前記第１カップに回転させる回転圧縮力と静止時に前記第１カップを前記第２カップに回転させる回転圧縮力のいずれかであり、
前記撚られた底部及び前記更なる底部はそれらの間に置かれた前記丸薬を砕く請求項８に記載のカップ組。
【請求項１０】
前記撚られたカップの底部の各波形は、前記底部の外縁に沿って最も広く、前記底部の中心で一点に狭くなる請求項８に記載のカップ組。
【請求項１１】
各波形は、
前記底部の上面に研削刃を形成する弧を描いた峰部であって、前記カップの円筒壁が前記カップの底部の外縁に一致する高い地点から前記カップの底部の中心の低い地点に向かって螺旋状の経路で湾曲している峰部と、
前記底部の下面に研削刃を形成する谷部であって、前記カップの円筒壁が前記カップの底部の外縁に一致する低い地点から前記底部の中心に向かって螺旋状の経路で湾曲している谷部と、
を備えている請求項８に記載のカップ組。
【請求項１２】
少なくとも６個の三次元波形が各カップの前記撚られた底部を形成する請求項８に記載のカップ組。
【請求項１３】
各カップの前記開放された円形状の頂部はそこから外側に突出する６個の縁部をさらに有している請求項８に記載のカップ組。
【請求項１４】
各カップは壁に液量目盛り表示器を備え、該表示器まで満たされた時に収容される液量を表示する請求項８に記載のカップ組。
【請求項１５】
丸薬の粉砕方法であって、
それぞれのカップが、開放された円形状の頂部と、撚られた底部と、前記円形状の頂部から前記撚られた底部に向かって内側に傾斜している湾曲壁と、を備え、前記撚られた底部はそれぞれが前記底部の外縁から前記底部の中心に向かう曲線に沿って弧を描く複数の三次元波形を有し、前記撚られた底部は該撚られた底部と更なるそのような底部に圧縮力が加えられた時に該撚られた底部と該更なる底部との間に置かれた丸薬を押しつぶすために十分な剛性を有している、第１カップと第２カップを供給し、
前記第１カップ内に丸薬を配置し、
前記第１カップ内の前記丸薬上に前記第２カップを配置し、
前記一方のカップが前記他方のカップに対して回転しながらお互いに向かって前記両カップを圧縮することを特徴とする方法。
【発明の詳細な説明】
【技術分野】
【０００１】
本発明は、薬物デリバリーの分野に関し、より詳細には、薬物デリバリーを改善するための固体薬物の粉砕に関する。
【背景技術】
【０００２】
錠剤や丸薬形式の薬物を飲み込むのが困難な患者がよくいるが、多くの薬物では、それらが利用可能な唯一の形式である。また、多くの丸薬はコーティングされていたり、或いは摂取後に分解されるように設計されていたりしている。しかし、患者が非常に若いか年配か及び又は病気の場合、薬物のこの破壊が中断されたり、期待より非常に遅いかまったく起こらなかったりする。そのような場合に、より簡単且つ有効に粉砕を行わせるため、丸薬は、米国特許7,559,496、米国特許7,543,770、米国特許7,427,041、米国特許6,637,685、米国特許6,059,209、米国特許5,067,666、及び米国意匠特許D433,148、米国意匠特許D545,622に見られるもののように、すり鉢と杵や或いは２つの固い表面の間で押しつぶし及び又は研磨したりする他の機械的手段で、粉砕されることがよくある。一旦、丸薬が粉砕されると、通常、粉末は患者に与えられる流体や食物と混合される容器に運ばれる。
【０００３】
クロス・コンタミネーション及び材料ロスを削減するため、安価な使い捨ての入子式容器は、入子式容器の２つの接触する底部の間で１つ以上の丸薬を粉砕するために使用されている。これらの容器はその後に分離され、その後、粉砕された薬物は患者に与えられる流体又は食物にこすり落とされて混合され、又は浮遊されることができる。米国特許7,559,496、米国特許6,059,129、米国特許5,553,793、及び米国意匠特許D620,607に見られるようなものに含まれるそのような目的のための従来技術には、かなりの容器のデザインがある。
【発明の概要】
【０００４】
本発明によると、使い捨ての入子式カップは、丸薬を粉末に粉砕するための回転駆動機構を有する機械的粉砕装置において使用するために開示されている。使い捨ての食物安全カップはそれぞれ、底側のカップに上側のカップの回転力が加えられ、それにより、２つの入子式カップの底部の表面の間に１つ以上の丸薬を同時に押しつぶして砕く時に２つのカップの間に挿入された丸薬をより有効に砕いて押しつぶすために設けられる、撚られた（textured）底部を有している。各カップの撚られた底部は回転対称の三次元波形パターンを有し、各波形はカップの外壁から各カップの底部の中心地点に向かう曲線に沿って弧を描く。各波形の峰部及び谷部はそれぞれ研削刃として作用し、全体の対称波形デザインは底側のカップの中心に（粉砕後の）一つ以上の丸薬及びその粉末形式を維持するように作用する。
【０００５】
さらに、本発明によると、使い捨ての入子式カップは、各カップの外側の円筒壁に液量目盛り表示器を備え、表示地点まで満たされた時に収容される液量を表示する。これにより、別の容器に移すことにより生じる粉砕された材料のロスを防止して、患者に直接薬物を分配するためのカップに流体を測定可能に加えることができる。粉砕された薬物を収容する使い捨ての入子式カップに測定可能に加えられる流体はまた更なる薬効成分を含み、及び又はより簡単な摂取のために粉砕された薬物を停止する懸濁剤として機能してもよい。流体は、患者に与えられる他の薬物の反応性、患者の全身の化学的性質及び薬物を消化する能力を考慮に入れて、粉砕された薬物の有効成分のより望ましいタイムリリースを与えるのに役立たせるように使用されてもよい。
【０００６】
ここに開示されているカップは、開放された円形状の頂部と、撚られた底部と、前記円形状の頂部から前記撚られた底部に向かって内側に傾斜している湾曲壁と、を備え、前記撚られた底部はそれぞれが該底部の外縁から該底部の中心に向かう曲線に沿って弧を描く複数の三次元波形を有し、前記撚られた底部は該撚られた底部と更なるそのような底部に圧縮力が加えられた時に該撚られた底部と該更なる底部との間に置かれた丸薬を押しつぶすために十分な剛性を有している。
【０００７】
一実施例では、前記撚られた底部の各波形は、前記底部の外縁に沿って最も広く、前記底部の中心で一点に狭くなる。一実施例では、各波形は研削刃を形成する弧を描いた峰部を有し、前記峰部は前記湾曲壁が前記撚られた底部の外縁に一致する高い地点から前記底部の中心の低い地点に向かって螺旋状の経路で湾曲している。一実施例では、各波形は前記底部の下面に研削刃を形成する谷部を有し、前記谷部は前記湾曲壁が前記底部の外縁に一致する低い地点から前記底部の中心に向かって螺旋状の経路で湾曲している。
【０００８】
一実施例では、前記カップは前記開放された円形状の頂部から外側に突出する縁部を有し、前記縁部は、突出する縁角部を形成する、それぞれの２つの側部が一致する複数の対称の側部を有し、前記波形の峰部は前記底部が前記円筒壁に一致する峰部の最も外側の地点で前記突出する縁角部の一つとそれぞれ位置合わせされる。
【０００９】
また、第１カップと第２カップを備え、丸薬粉砕用の交換可能で入子可能なカップ組が開示されており、それぞれのカップは、開放された円形状の頂部と、撚られた底部と、前記円形状の頂部から前記撚られた底部に向かって内側に傾斜している湾曲壁と、を備え、前記撚られた底部はそれぞれが該底部の外縁から該底部の中心に向かう曲線に沿って弧を描く複数の三次元波形を有し、前記撚られた底部は該撚られた底部と更なるそのような底部に圧縮力が加えられた時に該撚られた底部と該更なる底部との間に置かれた丸薬を押しつぶすために十分な剛性を有している。
【００１０】
一実施例では、前記圧縮力は、静止時に前記第２カップを前記第１カップに回転させる回転圧縮力と静止時に前記第１カップを前記第２カップに回転させる回転圧縮力のいずれかであり、前記撚られた底部及び前記更なる底部はそれらの間に置かれた前記丸薬を砕くようになっている。
【００１１】
さらに、丸薬の粉砕方法が開示されており、それぞれのカップが、開放された円形状の頂部と、撚られた底部と、前記円形状の頂部から前記撚られた底部に向かって内側に傾斜している湾曲壁と、を備え、前記撚られた底部はそれぞれが前記底部の外縁から前記底部の中心に向かう曲線に沿って弧を描く複数の三次元波形を有し、前記撚られた底部は該撚られた底部と更なるそのような底部に圧縮力が加えられた時に該撚られた底部と該更なる底部との間に置かれた丸薬を押しつぶすために十分な剛性を有している、第１カップと第２カップを供給し、前記第１カップ内に丸薬を配置し、前記第１カップ内の前記丸薬上に前記第２カップを配置し、前記一方のカップが前記他方のカップに対して回転しながらお互いに向かって前記両カップを圧縮する。
【００１２】
この概要は幾つかの概念のみを説明しており、より詳細には、以下の詳細な説明及び関連の図面によって説明されることが分かるであろう。請求項に記載された主題はこの概要の内容に限定されるものではない。
【図面の簡単な説明】
【００１３】
図面は本発明の形態を示しており、多少なりとも本発明の範囲を制限するものと解釈すべきではない。
【図１】本発明による一例のカップの内面を示す三点投影図である。
【図２】本発明による一例のカップの内面を見下ろした二次元投影図である。
【図３】本発明による一例のカップの外面を示す二次元投影図である。
【図４】本発明による一例のカップの外面を示す三点投影図である。
【図５】本発明による一例のカップの側面図である。
【図６】本発明の別の実施例の外面を示す二次元投影図である。
【図７】本発明の別の実施例の外面を示す三点投影図である。
【図８】本発明の一実施例による丸薬を粉砕する工程を示すフローチャートである。
【発明を実施するための形態】
【００１４】
別に定義されない限り、ここで使用するすべての技術的及び科学的用語は本発明が属する当業者によって通常理解されるものと同様の意味を有する。
【００１５】
本発明の一つの特徴によれば、丸薬の粉砕用の入子式カップが供給される。入子式カップは丸薬を粉末形式に粉砕するための回転駆動機構を有する機械的粉砕装置において使用するために最適に設計されている。各カップは２つのそのようなカップの間に挿入される丸薬を有効に砕き押しつぶすために設けられる、撚られた又は隆起した底部を有している。各カップの撚られた表面はそれぞれがカップの外側円筒壁から各カップの底部の中心点に向かう曲線に沿って弧を描く回転対称の三次元波形を有している。丸薬を粉末形状に粉砕するため、二つのカップは丸薬粉砕装置と連動して使用される。最初に丸薬はカップの底に置かれる。その後、第２の頂部側カップが丸薬を有する底部側カップの上に置かれる。この向きにおいて、二つのカップは回転駆動機構を有する丸薬粉砕装置に配置される。丸薬を粉末形状に押しつぶすと同時に砕くため、前記粉砕装置の前記駆動機構が底部側カップの上方で頂部側カップを回転させている間、底部側カップは静止したままである。
【００１６】
図１は、開放された円形状の頂部２を有し、該頂部がそこから外側に突出する６個の縁部４を有する一例のカップ１０の三点透視投影図を示している。カップは、その大きい平面開口を有する中空の逆円錐台の側面を規定する曲線を有する傾斜した円筒形状の壁８を有している。さらに、カップは撚られた形式の底部を有し、ここで説明されるように使用される時、該底部は丸薬を粉末形状に押しつぶすと同時に粉砕する上面１５及び下面１７（図３参照）を備えている。壁８は縁部４の近くの大きい直径から底部１２の近くの小さな直径に傾斜している。好適な実施例では、底部の表面は、６個の対称的な波形を有し、各波形は底部１２の外縁に沿って最も広く、底部１２の中心で一点に狭くなっている。波形は底部１３の中心に対して回転対称に形成されている。各波形は弧を描く峰部（図１〜４の３４及び３８と、図３及び５の２２及び２６参照）を有し、その上面は研削刃として作用し、壁８が底部１２の外縁に一致する高い地点から底部１２の中心点の低い地点に向かって螺旋状の経路に湾曲している。さらに、各波形は谷部（図１〜４の峰部３４の両側に示された３２及び３６参照）を有している。各谷部は、壁８が底部１２の外縁に一致する低い地点から底部１２の中心点に向かって螺旋状の経路で湾曲している。各谷部の下面は研削刃として作用し、下側のカップの上面に形成された研削刃と連動する。好適な実施例では、６個の波形のそれぞれは、図１の矢印１４で示されているように底部１２の峰部の最も外側の点で突出する６個の縁角部６の一つと位置合わせされている。
【００１７】
丸薬を粉末形状に粉砕するため、２つのカップは、好ましくは回転駆動機構を有する丸薬粉砕装置と連動して使用される。丸薬は第１の底部側カップに置かれる。カップの底部１２の中心点に向かってすべてが湾曲する６個の波形の峰部の弧を描く螺旋状のデザインは、第１の底部側のカップの底部１２の中心で第１の底部側カップに置かれた丸薬の位置に作用する。その後、第２の頂部側カップは丸薬を有する第１の底部側カップの頂部に置かれる。この向きにおいて、２つのカップは回転駆動機構を有する丸薬粉砕装置に配置される。カップ１０の６個の縁部４は底部を固定するように作用可能な６個の外側に突出した角部６を有している。第１の底部側カップが静止したままの間、丸薬を粉末形状に押しつぶすと同時に粉砕するため、前記粉砕装置の前記駆動機構は第１の底部側カップの上方で第２の頂部側カップを回転させる。第２の頂部側カップの６個の波形の谷部と共に、第１の底部側カップの６個の波形の峰部は、それらの間に置かれた丸薬を有効に砕く研削刃として作用する。すべてがカップの底部１２の中心点に向かって湾曲する６個の波形の峰部の弧を描く螺旋状のデザインは、カップの底部１２の中心に粉砕された粉末を保持するために作用する。粉砕された一つの丸薬だけについて説明されているが、一つ以上の丸薬も同時に粉砕可能であり、その結果として生じる粉末はカップの底部１２の中心の近くに保持される。
【００１８】
図２は、カップ１０を直接見下ろした投影図によって示された、弧を描いた湾曲波形デザインを有するカップ１０の別の図を示している。好適な一実施例では、底部１２の６個の波形の谷部（３２及び３６を含む）のそれぞれは最も外側でカップ１０の壁８に一致し、それぞれはカップの縁部側４の中間点に位置合わせされている。同様に、６個の波形の峰部のそれぞれはベース１２の外側縁も最も外側地点でカップ１０の外側に突出する６個の縁角部６の一つと位置合わせされている。例えば、底部２の波形の峰部３４は図２の「カップ１０の突出する縁角部６と位置合わせされる最も外側の地点でカップ１０の壁８と一致している。
【００１９】
図３は、底部１２の外面１７、円筒壁８及び６個の外側に突出する縁角部６を有する６個の縁部４を示すカップ１０の二次元投影図である。波形の谷部２０，２４，３２及び３６と、波形の峰部２２，２６，３４及び３８が示されている。
【００２０】
図４は、本発明による一実施例のカップの外面を示す三点投影図である。底部１２の外面は、６個の外側に突出した縁角部６を有する６個の縁部を備える、壁８と一致する。谷部３２及び３６と、峰部３４及び３８が示されている。
【００２１】
図５はカップの縁部４から底部１２に向かって傾斜している壁８を有するカップの一実施例の側面図を示している。また、底部の谷部が壁８と一致する最も外側の点２０、２４と、底部１２の峰部が壁８と一致する最も外側の点２２、２６を示している。カップ１０の６個の波形の谷部は、カップ１０が平面上に面して置かれた時に各谷部の外側地点が平面上に静止するように形成されている。液量目盛り表示器５０、５２、５４、５６、５８及び６０は該表示器まで満たされた時に収容される液量を表示する。これにより、粉砕された材料を別の容器に移すことが必要でも粉砕された材料をロスすることなく、患者に対して薬物を直接と投与するためにカップに測定可能に液体を加えることができる。粉砕された薬物を含む使い捨ての入子式カップに測定可能に加えられる液体は更なる薬効成分を含んでいても良く、及び又はより簡単に摂取するために粉砕された薬物を懸濁した懸濁剤として作用しても良い。液体は、患者に与えられる他の薬物の反応性、患者の全身の化学的性質、及び患者の薬物を消化する能力を考慮に入れて、粉砕された薬物の有効成分のより望ましいタイムリリースを与えるのに役立たせるように使用されてもよい。
【００２２】
図１〜図５に示されている入子式カップの底部の中心に向かって螺旋状の対称的な弧を描く好適な６個の波形は、丸薬が粉砕されている間、カップの中央に粉末を集中させると共にカップの外縁から外側に移動するのを防ぐのに有用である。これにより、液体がカップに加えられる時により完全に粉末を混合させることができる。別の実施例では、撚られた底部は６個の波形より少なかったり或いは多かったりしても良いが、各波形は、丸薬が２つのカップの間で押しつぶされ、その結果により生じた粉末をカップの底部の中心に集める時に研削刃を供給するため、依然として、カップの底部の外縁からカップの底部の中心点に向かう螺旋形状に弧を描く。
【００２３】
図６及び図７に示されている別の実施例では、一例のカップ７０は、開放された円形状の頂部７２を有し、該頂部には外側に突出する４個の縁部７４が設けられている。カップは傾斜した湾曲壁７８を有している。さらに、カップは、ここで説明する使用時に丸薬を粉末形状に押しつぶすと同時に粉砕する撚られた面を有する底部を備えている。この実施例では、底部の表面は１０個の対称的な波形を有し、それぞれの波形は、底部８０の外縁に沿って最も広く、底部８０の中心で一点に狭くなっている。各波形は、ここで説明する使用時に研削刃として作用する弧を描く峰部（８４及び８８参照）を有している。弧を描く峰部は、壁７８が底部８０の外縁に一致する高い地点から底部８０の中心点の低い地点に向かう螺旋状の経路に湾曲している。さらに、各波形は谷部（図６の峰部８４の両側に示されている８２及び８６）を有している。各谷部は、円筒壁７８が底部８０の外縁に一致する低い地点から底部８０の中心点に向かう螺旋状の経路で湾曲している。
【００２４】
図８を参照すると、丸薬を粉砕するための工程のフローチャートが示されている。ステップ９２では、２つのカップが供給される。ステップ９４では、丸薬は第１カップ内に置かれる。ステップ９６では、第２カップが第１カップ内に置かれる。ステップ９８では、２つのカップは互いに対してそれらの一方が回転している間に一緒に加圧される。カップは、粉砕工程の間に何回も一緒に加圧されると共にお互いから引き離され、各サイクルで数秒間底部に留まったりしても良い。
【００２５】
すべての図面において、各カップの撚られた底部の波形デザインは、上方から見て時計回り方向（図６の矢印９０参照）に上側カップを回転させて、回転しない底側カップに入れ子にする右手の回転駆動粉砕装置のためカップの底部の中心に向かって内側に螺旋状に示されていることに注目することが重要である。代わりに、右手の回転駆動粉砕装置は、回転しない上側カップに向かって底部側カップを上方に回転させるように設計されており、波形デザインは各図に示された一つの鏡像であろう。
【００２６】
入子式カップは使い捨て用として設計されており、ポリプロピレン、ポリエチレン、ポリスチレン、ポリ塩化ビニル、ポリ乳酸、及びポリカーボネートのような安価な食に安全なポリマーから作られており、他の適切な材料が入子式カップを形成するために使用されても良い。材料は、名目上非帯電性であり、カップの底部１２の底面に粉末がまったく付かないか或いは僅かな量の粉末がくっ付くようになっている。入子式カップの厚み及び剛性は、通常の製造上の耐久力及び変形を考慮に入れて、均一にしても良い。厚みは選択される材料にある程度依存し、カップの底部に十分な剛性を与えるのに十分な厚みにすべきであり、そうでなければ、丸薬粉砕は有効とならないであろう。底部の剛性は、底部の著しい変形をすることなく、加圧される丸薬を押しつぶすのに十分な強度を有するようになっている。そのような加圧は丸薬の上方及びカップ内に置かれる別の同様なカップから行われても良く、回転されても良い。幾つかの実施例では、カップの剛性及び柔軟性は、カップの対向する側部が一緒にやさしく押しつぶされて開口を形成するようになっている。内外面の仕上げは異なっていて良く、或いは同じであっても良い。
【００２７】
ここで説明されているカップを使用する特定の形式及び方法は事実上例示であり、多数の変形が可能であるので、これらの特定は実施例及び例示は限定する意味と考えられるべきではない。例えば、各カップの縁部が一つの角部の外側に延び、握るハンドルを形成したり、及び又はカップの内容を記載したラベルを貼ったりしても良い。前記開口はより吹出し易いように縁部に形成されても良い。波形の数は異なっていても良い。縁部の平らな刃の数はここの実施例に示されているものと異なっていても良い。カップの全体のバランスはここに示されているものと異なっていても良い。壁８の傾斜角度は図５に示されているものと異なっていても良い。開示された実施例は例示的である制限的なものではないことが理解されるべきである。請求項の境界内にある開示された実施例に対する変形、現在又は後に示される或いはそのような境界と同等なものは請求項により包含される。
【図１】
2017530754.tif 000003
【図２】
2017530754.tif 000004
【図３】
2017530754.tif 000005
【図４】
2017530754.tif 000006
【図５】
2017530754.tif 000007
【図６】
2017530754.tif 000008
【図７】
2017530754.tif 000009
【図８】
2017530754.tif 000010
【国際調査報告】
2017530754.tif 000011
2017530754.tif 000012